(57)【要約】【課題】  本発明はロール紙を使用する携帯型プリンタ装置に関し、印字部は共通として、一の種類のロール紙への印字及び別の種類のロール紙への印字を可能とすることを目的とする。【解決手段】  一つの印字部３１を備えた本体４０と、本体４０に対して開閉可能である中間蓋５０及び上蓋６０とを有する。本体４０、中間蓋５０及び上蓋６０が、第１の感熱紙ロール収容部３２−１と第２の感熱紙ロール収容部３２−２とを形成する。第１、第２の感熱紙ロール収容部３２−１、３２−２には、別の種類の感熱紙ロールが収容され、各感熱紙ロールからの感熱紙が印字部３１に導かれる。【選択図】  図３
2005262669.tif 000002
【特許請求の範囲】
【請求項１】
紙ロール収容部を備えた携帯型プリンタ装置において、
一つの印字部と、
紙ロール収容機構部とよりなり
該紙ロール収容機構部は、夫々が一つの紙ロールを収容する紙ロール収容部を複数有し、且つ、各紙ロール収容部から上記印字部に向かうロール紙用通路を複数有する構成であることを特徴とする携帯型プリンタ装置。
【請求項２】
紙ロール収容部を備えた携帯型プリンタ装置において、
内部に一つの印字部を備えており且つ夫々が一つの紙ロールを収容可能である紙ロール収容部を複数有する本体と、
該本体に独立して回動して開閉し、且つ重なり合うようにして閉じられるように設けてあり、閉じた状態で全部の該紙ロール収容部を覆う複数の蓋とを有し、
上記複数の蓋は、全てが閉じた状態で、全部の紙ロール収容部を覆い、且つ、隣り合う蓋の間で各紙ロール収容部から上記印字部に向かう別々のロール紙用通路を形成し、且つ、独立して回動されて所定の一つの紙ロール収容部を開口させるように開かれる構成としたことを特徴とする携帯型プリンタ装置
【請求項３】
紙ロール収容部を備えた携帯型プリンタ装置において、
内部に一つの印字部を備えており且つ一つの紙ロールを収容可能である一つの紙ロール収容部を有する本体と、
該本体に軸を共通にして独立して回動して開閉し、且つ重なり合うようにして閉じられる複数の蓋とを有し、
上記複数の蓋のうち、最も内側の蓋が閉じて上記本体の紙ロール収容部を覆い、
他の蓋は、合わさった状態で、その間に別の紙ロール収容部を形成し且つ該別の紙ロール収容部から上記印字部に向かうロール紙用通路を形成し、離されて該別の紙ロール収容部を開いた状態とする構成としたことを特徴とする携帯型プリンタ装置。
【請求項４】
請求項１乃至３のうち何れか一項記載の携帯型プリンタ装置において、
上記ロール紙用通路の部分に、ロール紙を紙ロール収容部側に引き戻すロール紙引き戻し機構を備えた構成としたことを特徴とする携帯型プリンタ装置。
【請求項５】
請求項１乃至３のうち何れか一項記載の携帯型プリンタ装置において、
上記ロール紙用通路の部分に、ロール紙を紙ロール収容部側に引き戻すロール紙引き戻し機構を備え、
且つ、上記ロール紙用通路の部分のうち、上記ロール紙引き戻し機構より上記紙ロール収容部側に寄った位置に、ロール紙を摩擦によって保持するロール紙保持部を備えた構成としたことを特徴とする携帯型プリンタ装置。
【請求項６】
請求項４又は請求項５に記載の携帯型プリンタ装置において、
該ロール紙引き戻し機構は、上記蓋を開く動作に連動する構成であることを特徴とする携帯型プリンタ装置。
【請求項７】
請求項１乃至３のうち何れか一項記載の携帯型プリンタ装置において、
上記ロール紙用通路の部分に、ロール紙を紙ロール収容部側に引き戻すと共にロール紙を上記印字部に向かって送り出すロール紙引き戻し・送り出し機構を備えた構成としたことを特徴とする携帯型プリンタ装置。
【請求項８】
請求項７に記載の携帯型プリンタ装置において、
該ロール紙引き戻し・送り出し機構は、上記蓋を開く動作に連動してロール紙引き戻し動作を行い、且つ上記蓋を閉じる動作に連動してロール紙送り出し動作を行なう構成であることを特徴とする携帯型プリンタ装置。
【請求項９】
請求項１に記載の携帯型プリンタ装置において、
印字されたロール紙が送り出される一つのロール紙出口を更に有し、
一の紙ロールから引き出されて印字されたロール紙及び別の紙ロールから引き出されて印字されたロール紙は、共に上記一つのロール紙出口から送り出される構成としたことを特徴とする携帯型プリンタ装置。
【発明の詳細な説明】
【技術分野】
【０００１】
本発明は携帯型プリンタ装置に係り、特に感熱紙ロールを使用する携帯型サーマルプリンタ装置に関する。
【背景技術】
【０００２】
図１（Ａ），（Ｂ）は従来の携帯型サーマルプリンタ装置１０を示す。このサーマルプリンタ装置１０は、一つの印字部１１と、一つの感熱紙ロール２０を収容可能である感熱紙ロール収容部１５を備えた構成である。印字部１１は、サーマルヘッド１２とプラテンローラ１３とよりなる。感熱紙ロール収容部１５は、回動する蓋１６でもって覆われている。プラテンローラ１３は、感熱紙ロール収容部１５を塞ぐ開閉蓋１６の先端に取り付けてある。
【０００３】
蓋１６を開き、感熱紙ロール２０を感熱紙ロール収容部１５内に収め、感熱紙ロール２０から帯状の感熱紙２１をプラテンローラ１３を越える位置まで引き出し、蓋１６を閉じることによって、感熱紙２１がプラテンローラ１３によってサーマルヘッド１２に押し付けられて、携帯型サーマルプリンタ装置１０は使用可能状態となる。
【特許文献１】特開平１１−４８１８７号公報
【特許文献２】特開平１０−２３５９４２号公報
【発明の開示】
【発明が解決しようとする課題】
【０００４】
上記の携帯型サーマルプリンタ装置１０は屋外で伝票等を発行する業務に使用される。伝票等を発行する業務では、顧客によって異なる種類の伝票を発行したり、伝票ではなくラベルを発行したりすることがある。
【０００５】
従来の携帯型サーマルプリンタ装置１０を使用している場合では、作業者は、携帯型サーマルプリンタ装置１０とは別に、幾つかの種類の異なる感熱紙ロールをポケット等に入れて携帯し、発行する伝票等が相違する都度、感熱紙ロールを入れ替えていた。感熱紙ロールを入れ替えるには、蓋１６を開け、感熱紙ロール２０を取り出し、ポケット等に入れ、携帯していた別の感熱紙ロールをポケット等から取り出し感熱紙ロール収容部１５内に収め、感熱紙ロールから帯状の感熱紙をプラテンローラ１３を越える位置まで引き出し、蓋１６を閉じるという操作が必要となり、面倒であった。また、幾つかの種類の異なる感熱紙ロールを携帯しなければならないという面倒もあった。
【０００６】
また、特開平１０−２３５９４２号公報に記載してあるように印字部と感熱紙ロール収容部とを夫々２つづつ設けた構成とすると、種類の異なる感熱紙ロールを携帯しなければならないという面倒は軽減されるが、サーマルプリンタ装置のコストが高くなると共にサイズが大きくなってしまう。サイズが大きくなると、携帯及び操作がしにくくなる。
【０００７】
本発明は、上記の点に鑑みてなされた携帯型プリンタ装置を提供することを目的とする。
【課題を解決するための手段】
【０００８】
そこで、上記課題を解決するため、本発明は、紙ロール収容部を備えた携帯型プリンタ装置において、
一つの印字部と、
紙ロール収容機構部とよりなり
該紙ロール収容機構部は、夫々が一つの紙ロールを収容する紙ロール収容部を複数有し、且つ、各紙ロール収容部から上記印字部に向かうロール紙用通路を複数有する構成であることを特徴とする。
【発明の効果】
【０００９】
本発明によれば、各紙ロール収容部に別々の種類の紙ロールを収容しておくことによって、一つの紙ロールからのロール紙に印字を行うようにしてある状態を、簡単な操作でもって、別の紙ロールからのロール紙に印字を行えるようにすることが出来る。また、印字部が一つであるため、小型に構成出来る。
【発明を実施するための最良の形態】
【００１０】
次に本発明の実施の形態について説明する。
【実施例１】
【００１１】
図２及び図３は本発明の実施例１になる携帯型サーマルプリンタ装置３０を示す。Ｘ１−Ｘ２はプリンタ装置３０の長手方向、Ｙ１−Ｙ２は幅方向、Ｚ１−Ｚ２は高さ方向である。Ｘ２側が作業者が手でプリンタ装置３０を持ったときに作業者側に向く側である。
【００１２】
携帯型サーマルプリンタ装置３０は、一つの印字部３１と、感熱紙ロール収容機構部３２とを有する。印字部３１は、サーマルヘッド７１とプラテンローラ６２とよりなる。感熱紙ロール収容機構部３２は、種類の異なる二つの感熱紙ロールをその中心軸が平行とされて並んで収容可能である構成であり、第１の感熱紙ロール収容部３２−１と、第２の感熱紙ロール収容部３２−２とを有する。印字部３１は、第１の感熱紙ロール収容部３２−１内の第１の種類の感熱紙ロール２００からの帯状の感熱紙２０１に対する印字動作、及び第２の感熱紙ロール収容部３２−２内の第２の種類の感熱紙ロール２１０からの帯状の感熱紙２１１に対する印字動作に、共通に使用される。
【００１３】
Ｘ２側に印字開始等のための操作ボタン３３及び蓋を開くためのスライド操作ノブ３４が配置してある。操作ノブ３４は通常はＰ０に位置しており、後述する上蓋６０だけを開ける場合には、Ｘ１方向にＰ１に操作され、後述する中間蓋５０を上蓋６０と共に開ける場合には、Ｘ２方向にＰ２に操作される。Ｙ２側の側面には用紙を引き戻すための操作ノブ３５が設けてある。
【００１４】
プリンタ装置３０は、外形的には、Ｘ方向に長い箱形状の本体４０と、中間蓋５０と、上蓋６０とを有する。中間蓋５０と上蓋６０とは、本体４０のＸ１側端のＺ２側に配置してある軸５１によって共通に開閉可能に支持してあり、図４に示すように、同じ方向（時計方向）に回動されて開かれ、重なり合うようにして閉じられる。また、中間蓋５０と上蓋６０とは独立して回動される。
【００１５】
図４に示すように、本体４０のうち、Ｘ２側のＺ１側には、サーマルプリンタ組立体７０が組み付けてある。サーマルプリンタ組立体７０は、主に、サーマルヘッド７１と、プラテンローラ駆動用モータ７２と、プラテンローラロック用フック７３、ロール紙ガイド板部７４等よりなる。サーマルプリンタ組立体７０の下側には、扉７６付きのバッテリ収容部７５が形成してあり、ここにバッテリ７７が収容してある。ロール紙出口７８は一つであり、このロール紙出口７８部分には、本体４０にカッタ刃７９が固定してある。
【００１６】
本体４０には、バッテリ収容部７５の直ぐＸ１側に、略半円筒形状である第１の感熱紙ロール収容部３２−１が形成してあり、この第１の感熱紙ロール収容部３２−１の直ぐＸ１側に、略１／４円筒形状である収容部４１が形成してある。この収容部４１は、後述する第２の感熱紙ロール収容部３２−２を収容するためのものである。収容部４１のＸ２側には、立ち上げ壁４２が形成してある。立ち上げ壁４２は、後述する第２の種類の感熱紙ロール２１０からＸ２方向に延在する感熱紙２１１を支持して感熱紙２１１がＺ２方向に垂れ下がることを制限する役割、及び、第２の感熱紙ロール収容部３２−２内に収容された感熱紙ロールが小さくなって軽くなった場合に引っ張られてＸ２方向に無用に移動してしまうのを防止するストッパとしての役割を有する。
【００１７】
第２の感熱紙ロール収容部３２−２は、後述するように上蓋６０と中間蓋５０との間に形成され、上蓋６０と中間蓋５０とを閉じた状態で、移動してきて上記の収容部４１内に収まる。
【００１８】
図３及び図４に示すように、上蓋６０は、略Ｌ字形状をなし、垂直板部６０ａと、水平板部６０ｂと、両者の間の半円筒部６０ｃと、水平板部６０ｂの先端側部分の下面側の張り出し部６０ｄとを有し、先端にプラテンローラ６２が支持してある。中間蓋５０は、略逆Ｓ字形状であり、Ｚ１方向に凸である半円筒部５０ａと、Ｚ２方向に凸である半円筒部５０ｂとを有する。半円筒部５０ａは、第１の感熱紙ロール収容部３２−１の上側を覆う。中間蓋５０の半円筒部５０ｂと上蓋６０の半円筒部６０ｃとの間の空間が、第２の感熱紙ロール収容部３２−２を構成する。中間蓋５０と上蓋６０とが互いに離されることによって、第２の感熱紙ロール収容部３２−２は開かれる。中間蓋５０は半円筒部５０ａと半円筒部５０ｂとの間の部分に、開口窓５０ｃを有し（図５参照）、この開口窓５０ｃが立ち上げ壁４２と嵌合することによって、中間蓋５０は立ち上げ壁４２と干渉することなく閉じられる。
【００１９】
中間蓋５０が閉じられている状態で、中間蓋５０の先端部５０ｄが第１の感熱紙ロール収容部３２−１のＸ２側の傾斜面部３２−１ａに接近し、第１のロール紙通路８１が形成される。また、上蓋６０の張り出し部６０ｄの下面６０ｄ１は、中間蓋５０の半円筒部５０ａ及びロール紙ガイド板部７４に対応した形状を有している。上蓋６０が閉じられた状態で、張り出し部６０ｄは、半円筒部５０ａ及びロール紙ガイド板部７４に接近する。張り出し部６０ｄと半円筒部５０ａとの間に、第２のロール紙通路８２が形成される。ここで、上蓋６０と中間蓋５０とは軸５１によって共通に支持されているため、図７（Ａ）に示すように、上蓋６０と中間蓋５０とが一体的に回動された状態でも、第２のロール紙通路８２は形成されたままとされる。また、張り出し部６０ｄとロール紙ガイド板部７４との間に第３のロール紙通路８３が形成される。
【００２０】
第３のロール紙通路８３は、プラテンローラ６２がサーマルヘッド７１に押し当っている位置から略Ｘ１方向に延在している。第２のロール紙通路８２は、第３のロール紙通路８３の端から、第１の感熱紙ロール収容部３２−１の上方を通って且つ立ち上げ壁４２の上方を通って第２の感熱紙ロール収容部３２−２に向かって延びている。第１のロール紙通路８１は、第３のロール紙通路８３と第１の感熱紙ロール収容部３２−１との間に存在している。第１、２，３のロール紙通路８１、８２，８３は、第３のロール紙通路８３に対して、第１のロール紙通路８１は下側から斜め上向きに延在してつながり、第２のロール紙通路８２は上側から斜め下向きに延在してつながるような配置である。
【００２１】
第２のロール紙通路８２の途中に、用紙引き戻し機構９０が設けてある。用紙引き戻し機構９０は、図５に併せて示すように、中間蓋５０にこれを横切って配されて支持されている駆動ローラ９１と、上蓋６０にこれを横切って配されて支持されているピンチローラ９２とを有する。駆動ローラ９１の端に操作ノブ３５が固定してある。駆動ローラ９１とピンチローラ９２とは感熱紙２１１を挟む。
【００２２】
図６（Ａ）に拡大して示すように、スライド操作ノブ３４に関連してロック機構１００が設けてある。操作ノブ３４からＬ字形状に延びているレバー１０１の先端には、Ｚ１側からＺ２方向に順に、フック部１０２、カム部１０３、押し部１０４が形成してある。フック部１０２は中間蓋５０の先端のピン５２を係止する。カム部１０３は、フック部１０２よりもＸ１方向に延びており、斜め上方向に傾斜しており、Ｘ２方向に移動されときにピン５２をＺ２方向に少し押し上げる。押し部１０４は、カム部１０３よりもＸ１方向に延びている。細長いフック部材１０５はその中央を中間蓋５０上のピン５３に支持されており、Ｚ１端のフック部１０５ａが上蓋６０上のピン６１を係止する。中間蓋５０と上蓋６０とが共に閉じており、操作ノブ３４がＰ０に位置している状態で、押し部１０４がフック部材１０５のＺ２側の部分１０５ｂに対向している。
【００２３】
スライド操作ノブ３４をＸ１方向にＰ１に操作すると、図６（Ｂ）に示すように、押し部１０４によって押されてフック部材１０５が回動されて、ピン６１に対するフック部１０５ａによる係止が解除され、上蓋６０だけが開かれる。スライド操作ノブ３４をＸ２方向にＰ２に操作すると、図６（Ｃ）に示すように、ピン５２に対するフック部１０２による係止が解除され、且つ、カム部１０３がピン５２を押し上げて、中間蓋５０と上蓋６０とがフック部材１０５によって連結されている状態で開かれる。
【００２４】
図３は、第１の感熱紙ロール収容部３２−１に第１の種類の感熱紙ロール２００が収容してあり、第２の感熱紙ロール収容部３２−２に第２の種類の感熱紙ロール２１０が収容してあり、第１の種類の感熱紙ロール２００からの帯状の感熱紙２０１が印字部３１にまで引き出されており、印字が感熱紙２０１に対して行われる状態を示す。即ち、携帯型サーマルプリンタ装置３０には、第１の種類の感熱紙ロール２００と第２の種類の感熱紙ロール２１０とが収容されている。印字が行われると、印字された感熱紙２０１はロール紙出口７８から送り出され、カッタ刃７９を利用してカットされる。
【００２５】
この図３に示す状態は、上蓋６０と中間蓋５０とを図４に示すように開いて、第１の種類の感熱紙ロール２００を第１の感熱紙ロール収容部３２−１に収容し、ロール紙である感熱紙２０１の先端を印字部３１にまで引き出し、第２の種類の感熱紙ロール２１０を第２の感熱紙ロール収容部３２−２に収容し、ロール紙である感熱紙２１１の先端を用紙引き戻し機構９０を越えた位置まで引き出し、上蓋６０と中間蓋５０とを合わせてフック部材１０５によりロックさせ、第１の種類の感熱紙ロール２００から帯状の感熱紙２０１をプラテンローラ６２を越える位置まで引き出し、上蓋６０及び中間蓋５０を閉じてロック機構１００によりロックさせることによって得られる。
【００２６】
次に、印字が第１の種類の感熱紙２０１に対して行われる状態において、印字を第２の種類の感熱紙２１１に対して行えるようにする場合の切り換え操作及び動作について、図７（Ａ）乃至（Ｄ）を参照して説明する。
【００２７】
先ず、図７（Ａ）に矢印Ａで示すように操作ノブ３４をＸ２方向に操作する。この操作によって、ロック機構１００が図６（Ｃ）に示す状態となり、フック部１０２によるピン５２に対する係止が解除され、カム部１０３が上蓋６０及び中間蓋５０を少し押し上げる。次いで、操作者は、図７（Ａ）に、矢印Ｂで示すように上蓋６０と中間蓋５０とを一体的に開いて第１の感熱紙ロール収容部３２−１の上方を開口させ、サーマルヘッド７１にまで延びている第１の種類の感熱紙２０１を矢印Ｃで示すように戻して第１の種類の感熱紙ロール２００に巻き付ける。
【００２８】
次いで、フック部材１０５を操作して上蓋６０と中間蓋５０との結合を解除させ、図７（Ｂ）に、矢印Ｄで示すように中間蓋５０だけを閉じる。これによって、第１の感熱紙ロール収容部３２−１が塞がれ、第２の感熱紙ロール収容部３２−２が開かれた状態となる。次いで、矢印Ｅで示すように、第２の種類の感熱紙ロール２１０から帯状の感熱紙２１１を中間蓋５０の上面及びロール紙ガイド板部７４の上面に沿わせ、サーマルヘッド７１を越えた位置まで引き出す。
【００２９】
最後に、図７（Ｃ）に、矢印Ｆで示すように、上蓋６０を閉じる。
【００３０】
これによって、携帯型サーマルプリンタ装置３０は第２の種類の感熱紙２１１に対して印字が行われる状態となり、操作ボタン３３を操作して印字操作を行うと、プラテンローラ６２は感熱紙２１１を送り、第２の種類の感熱紙ロール２１０からの感熱紙２１１が第２，３のロール紙通路８２，８３を通ってサーマルヘッド７１にまで引き出され、感熱紙２１１に印字が行われる。印字された感熱紙２１１はロール紙出口７８から送り出され、カッタ刃７９を利用してカットされる。
【００３１】
次に、印字を元の第１の種類の感熱紙２０１に対して行おうとする場合の切り換え操作及び動作について、図８（Ａ）乃至（Ｃ）を参照して説明する。
【００３２】
先ず、図８（Ａ）に矢印Ｇで示すように操作ノブ３５を時計方向に回す。これによって、駆動ローラ９１が回転され、感熱紙２１１がＸ１方向に移動させて、サーマルヘッド７１の位置まで延在している感熱紙２１１が引き戻される。
【００３３】
次いで、矢印Ｈで示すように操作ノブ３４をＸ２方向に操作し、ピン５２に対する係止を解除させて、図８（Ｂ）に矢印Ｉで示すように上蓋６０と中間蓋５０とを一体的に開いて、第１の感熱紙ロール収容部３２−１の上方を開口させ、矢印Ｉで示すように第１の種類の感熱紙ロール２００から第１の種類の感熱紙２０１を引き出して、ロール紙ガイド板部７４の上面に沿わせ、サーマルヘッド７１を越えた位置まで引き出す。また、必要に応じて、図８（Ｃ）に示すように、指先で開口窓５０ｃから第２の種類の感熱紙ロール２１０を矢印Ｋで示すように回動させて、上記の引き戻された感熱紙２１１を第２の種類の感熱紙ロール２１０に巻き取る。
【００３４】
最後に、図８（Ｄ）に、矢印Ｌで示すように、結合されている上蓋６０と中間蓋５０とを閉じる。
【００３５】
これによって、携帯型サーマルプリンタ装置３０は第１の種類の感熱紙２０１に対して印字が行われる状態となり、操作ボタン３３を操作して印字操作を行うと、プラテンローラ６２は感熱紙２０１を送り、第１の種類の感熱紙ロール２００からの感熱紙２０１が第１，３のロール紙通路８１，８３を通ってサーマルヘッド７１にまで引き出され、感熱紙２０１に印字が行われる。
【実施例２】
【００３６】
図９は本発明の実施例２になる携帯型サーマルプリンタ装置３０Ａを示す。この携帯型サーマルプリンタ装置３０Ａは、一つの印字部３１と、感熱紙ロール収容機構部３２Ａとを有する。この携帯型サーマルプリンタ装置３０Ａは、Ｘ方向に長い箱形状の本体４０ＡのＸ２側に印字部３１を有し、略Ｓ字形状の第１の中間蓋５０Ａ１と、略Ｓ字形状の第２の中間蓋５０Ａ２と、略Ｌ字形状の上蓋６０Ａとが、本体４０ＡのＸ１側の軸５１Ａによって共通に開閉可能に支持してある構成である。第１の中間蓋５０Ａ１、第２の中間蓋５０Ａ２、上蓋６０Ａは、重なり合うようにして閉じられる。感熱紙ロール収容機構部３２Ａは、第１、第２、第３の感熱紙ロール収容部３２−１，３２−２、３２−３を有し、三つの種類の異なる感熱紙ロールが夫々その中心軸が平行とされて並んで収容可能であり、且つ、第１、第２、第３の感熱紙ロール収容部３２−１，３２−２、３２−３から印字部３１に到るロール紙通路８１、８２、８４を有する構成である。ロール紙通路８４は、中間蓋５０Ａ２と上蓋６０Ａとの間に形成してある。
【００３７】
第１、第２、第３の感熱紙ロール収容部３２−１，３２−２、３２−３に夫々第１、第２、第３の感熱紙ロール２００，２１０、２２０が収容してある。第３の感熱紙ロール２２０からの第３の種類の感熱紙２２１はロール紙通路８４に沿ってＸ２方向に向かっている。
【００３８】
印字を行う対象の感熱紙を切り換える操作は、図７（Ａ）乃至（Ｃ）及び図８（Ａ）乃至（Ｄ）に示す操作に準じて行えばよい。
【実施例３】
【００３９】
図１０は本発明の実施例３になる携帯型サーマルプリンタ装置３０Ｂを示す。この携帯型サーマルプリンタ装置３０Ｂは、図３に示す携帯型サーマルプリンタ装置３０において、中間蓋５０に代えて、立ち上げ壁４２上の軸５１Ｂに開閉可能に支持された中間蓋５０Ｂを有する構成であり、一つの印字部３１と、感熱紙ロール収容機構部３２Ｂとを有する。感熱紙ロール収容機構部３２Ｂは、第１、第２の感熱紙ロール収容部３２−１，３２Ｂ−２を有する。上蓋６０は中間蓋５０Ｂに重なり合って閉じている。
【００４０】
印字を行う対象の感熱紙を切り換える操作は、図７（Ａ）乃至（Ｃ）及び図８（Ａ）乃至（Ｄ）に示す操作に準じて行えばよい。
【実施例４】
【００４１】
図１１は本発明の実施例４になる縦型の携帯型サーマルプリンタ装置３０Ｃを示す。携帯型サーマルプリンタ装置３０Ｃは、一つの印字部３１と、感熱紙ロール収容機構部３２Ｂとを有する。感熱紙ロール収容機構部３２Ｂは、第１、第２の感熱紙ロール収容部３２−１，３２−２がＺ方向に並んでいる構成である。本体４０Ｃに、上蓋６０Ｃと中間蓋５０Ｃとが軸５１によって支持されている。
【００４２】
印字を行う対象の感熱紙を切り換える操作は、図７（Ａ）乃至（Ｃ）及び図８（Ａ）乃至（Ｄ）に示す操作に準じて行えばよい。
【実施例５】
【００４３】
図１２は本発明の実施例５になる携帯型サーマルプリンタ装置３０Ｄを示す。携帯型サーマルプリンタ装置３０Ｄは、図３に示す携帯型サーマルプリンタ装置３０に、感熱紙を摩擦によって保持する感熱紙保持部１１０が追加してある構成である。感熱紙保持部１１０は、第２のロール紙通路８２のうち用紙引き戻し機構９０と第２の感熱紙ロール収容部３２−２との間であって、用紙引き戻し機構９０より第２の感熱紙ロール収容部３２−２側に若干寄った位置に設けてある。
【００４４】
感熱紙保持部１１０は、中間蓋５０の上面の三角形状の凸部１１１と、上蓋６０の下面の三角形状の凹部１１２とが嵌合して、感熱紙２１１を緩く挟み込み波形に湾曲させる構成である。感熱紙２１１がそれ自体の平面に復元しようとする弾性力によって凸部１１１及び凹部１１１の表面に押し当たり、摩擦によって感熱紙２１１は保持される。
【００４５】
三角形状の凸部及び凹部を夫々複数個形成し、感熱紙２１１が連続した波形となるようにしてもよい。この場合には、感熱紙保持部が感熱紙２１１を保持する力は増す。
【実施例６】
【００４６】
図１３は本発明の実施例６になる携帯型サーマルプリンタ装置３０Ｅを示す。携帯型サーマルプリンタ装置３０Ｅは、図３に示す携帯型サーマルプリンタ装置３０中の用紙引き戻し機構９０に代えて、用紙引き戻し・送り出し機構９０Ｅを有する。
【００４７】
用紙引き戻し・送り出し機構９０Ｅは、図１４（Ａ）に示すように、前記の駆動ローラ９１、ピンチローラ９２に加えて、回転軸１２０、駆動ローラ１２１、一方向クラッチ１２２、ピンチローラ１２３、ベルト１２４を有する構成である。
【００４８】
回転軸１２０は中間蓋５０に支持してあり、駆動ローラ１２１は、一方向クラッチ１２２を介して回転軸１２０に支持されている。一方向クラッチ１２２は、回転軸１２０の反時計方向の回転を駆動ローラ１２１に伝達し、回転軸１２０の時計方向の回転は駆動ローラ１２１に伝達しない構成である。ピンチローラ１２３は上蓋６０に支持されており、駆動ローラ１２１に押し当る。駆動ローラ１２１及びピンチローラ１２３は、駆動ローラ９１、ピンチローラ９２の位置よりも第２の感熱紙ロール収容部３２−２側に若干寄った位置に設けてある。駆動ローラ９１の軸部９１ａと回転軸１２０との間にベルト１２４が掛け渡してある。
【００４９】
図１４（Ａ）に示すように、感熱紙２１１が駆動ローラ９１とピンチローラ９２との間及び駆動ローラ１２１とピンチローラ１２３との間を通っている状態において、操作ノブ３５を時計方向に回転させると、感熱紙２１１は駆動ローラ９１とピンチローラ９２とによってＸ１方向に移動されて引き戻される。ベルト１２４を介して回転軸１２０が時計方向に回転されるが、一方向クラッチ１２２は回転を伝達しないため、駆動ローラ１２１は回転せず、感熱紙２１１は、図１４（Ｂ）に示すように、駆動ローラ９１を通過したところで停止する。感熱紙２１１は、駆動ローラ１２１とピンチローラ１２３との間には挟まれている。
【００５０】
図１４（Ｂ）に示す状態で、操作ノブ３５を反時計方向に回転させると、図１４（Ｃ）に示すように、駆動ローラ９１が反時計方向に回転され、ベルト１２４を介して回転軸１２０が反時計方向に回転され、一方向クラッチ１２２を介して駆動ローラ１２１が反時計方向に回転される。駆動ローラ１２１とピンチローラ１２３とによって、感熱紙２１１はＸ２方向に移動され、更に、駆動ローラ９１とピンチローラ９２とによってＸ２方向に移動され、送り出される。
【００５１】
この用紙引き戻し・送り出し機構９０Ｅを備えることによって、操作ノブ３５の操作によって感熱紙２１１の送り出しが可能となり、よって、図７（Ｂ）に示すように、上蓋６０と中間蓋５０との結合を解除させて両者の間を広げる操作は不要となる。よって、印字の対象を第１の種類の感熱紙２０１から第２の種類の感熱紙２１１へと切り換える操作が簡単となる。
【実施例７】
【００５２】
図１５は本発明の実施例７になる携帯型サーマルプリンタ装置３０Ｆを示す。携帯型サーマルプリンタ装置３０Ｆは、図３に示す携帯型サーマルプリンタ装置３０に、用紙引き戻し機構１３０が追加してある構成である。用紙引き戻し機構１３０は、第１のロール紙通路８１に設けてあり、図１６に併せて示すように、本体４０に支持されている駆動ローラ１３１と、中間蓋５０の先端に支持されているピンチローラ１３２とを有する。駆動ローラ１３１の端に操作ノブ１３３が固定してある。駆動ローラ１３１とピンチローラ１３２とは感熱紙２０１を挟む。
【００５３】
操作ノブ１３３を時計方向に回転させることによって、第１のロール紙通路８１内に位置している感熱紙２０１が第１の感熱紙ロール収容部３２−１の方向に送られて引き戻される。
【００５４】
この用紙引き戻し機構１３０を備えることによって、操作ノブ１３３の操作によって感熱紙２０１の引き戻しが可能となり、よって、印字を行う対象を第１の種類の感熱紙２０１から第２の種類の感熱紙２１１に切り換える場合に、操作ノブ１３３を時計方向に回転させて感熱紙２０１を引き戻すことによって、図７（Ａ）に示すように、上蓋６０と中間蓋５０とを一体的に開き、第１の種類の感熱紙２０１を第１の種類の感熱紙ロール２００に巻き付ける操作は不要となり、操作性が向上する。
【実施例８】
【００５５】
図１７（Ａ），（Ｂ）は本発明の実施例８になる携帯型サーマルプリンタ装置３０Ｇを示す。携帯型サーマルプリンタ装置３０Ｇは、図３に示す携帯型サーマルプリンタ装置３０から用紙引き戻し機構９０を省略して、上蓋６０Ｇの開閉動作に連動する用紙引き戻し・送り出し機構１４０を備えた構成である。用紙引き戻し・送り出し機構１４０は、感熱紙ロール支持軸１４１の端のギヤ１４２と、これに噛み合っている上蓋６０Ｇの内歯車６０Ｇａとよりなる。感熱紙ロール支持軸１４１は、第２の感熱紙ロール収容部３２−２の中心に回転可能に支持してあり、第２の感熱紙ロール２１０の芯を貫通して支持する。内歯車６０Ｇａは、上蓋６０Ｇのフランジ部６０Ｇｂに、軸５１を中心とする円弧に沿って形成してある。
【００５６】
図１８に示すように上蓋６０Ｇを開く操作に連動して、感熱紙ロール支持軸１４１が時計方向に回転され、第２の感熱紙２１１が第２の感熱紙ロール２１０に巻き取られて、引き戻される。
【００５７】
また、上蓋６０Ｇを閉じる操作に連動して、感熱紙ロール支持軸１４１が反時計方向に回転され、第２の感熱紙３０Ｇが第２の感熱紙ロール２１０から送り出される。
【実施例９】
【００５８】
図１９（Ａ），（Ｂ）は本発明の実施例９になる携帯型サーマルプリンタ装置３０Ｈを示す。携帯型サーマルプリンタ装置３０Ｈは、図３に示す携帯型サーマルプリンタ装置３０中の用紙引き戻し機構９０に代えて、上蓋６０の開閉動作に連動する用紙引き戻し・送り出し機構９０Ｈを備えた構成である。
【００５９】
用紙引き戻し・送り出し機構９０Ｈは、中間蓋５０に取り付けてある駆動ローラ９１と、上蓋６０に取り付けてあるピンチローラ９２と、駆動ローラ９１の端に固定してあるギヤ１５０と、本体４０Ｈに形成してあるラック部１５１とよりなる。ラック部１５１は軸５１を中心とする円弧に沿って形成してある。ギヤ１５０はラック部１５１と噛み合っている。
【００６０】
図１９（Ａ）に示すように上蓋６０を開く操作に連動して、ギヤ１５０がラック部１５１に沿って時計方向に回転されつつ移動し、駆動ローラ９１とピンチローラ９２とによって第２の感熱紙２１１が第２の感熱紙ロール収容部３２−２の方向に引き戻される。ギヤ１５０はラック部１５１から外れるまで回転される。駆動ローラ９１、ギヤ１５０等の寸法は、第２の感熱紙２１１の引き戻しがその先端が駆動ローラ９１の位置よりもＸ２側の位置で完了するように、即ち、引き戻し動作が完了しても、駆動ローラ９１とピンチローラ９２とが第２の感熱紙２１１を挟んでいるように定めてある。
【００６１】
上蓋６０を閉じた場合には、最終の段階で、ギヤ１５０がラック部１５１と噛み合って反時計方向に回転され、駆動ローラ９１とピンチローラ９２とによって第２の感熱紙２１１が印字部３１の方向に送り出される。
【００６２】
なお、本発明は、サーマルプリンタ装置に限定されるものではなく、普通紙ロールを使用するプリンタ装置にも実施可能である。
【図面の簡単な説明】
【００６３】
【図１】従来の携帯型サーマルプリンタ装置を示す図である。
【図２】本発明の実施例１になる携帯型サーマルプリンタ装置の斜視図である。
【図３】図２の携帯型サーマルプリンタ装置の正面図である。
【図４】上蓋及び中間蓋を開いた状態を示す図である。
【図５】ロール紙引き戻し機構を示す図である。
【図６】ロック機構を拡大して示す図である。
【図７】印字対象を第１の種類の感熱紙から第２の種類の感熱紙へ切り換えるプロセスを示す図である。
【図８】印字対象を第２の種類の感熱紙から第１の種類の感熱紙へ切り換えるプロセスを示す図である。
【図９】本発明の実施例２になる携帯型サーマルプリンタ装置を示す図である。
【図１０】本発明の実施例３になる携帯型サーマルプリンタ装置を示す図である。
【図１１】本発明の実施例４になる携帯型サーマルプリンタ装置を示す図である。
【図１２】本発明の実施例５になる携帯型サーマルプリンタ装置を示す図である。
【図１３】本発明の実施例６になる携帯型サーマルプリンタ装置を示す図である。
【図１４】図１３中、ロール紙引き戻し・送り出し機構を拡大して示す図である。
【図１５】本発明の実施例７になる携帯型サーマルプリンタ装置を示す図である。
【図１６】図１５中、第１のロール紙通路に設けてある用紙引き戻し機構を示す図である。
【図１７】本発明の実施例８になる携帯型サーマルプリンタ装置を示す図である。
【図１８】上蓋を開いたときの状態を示す図である。
【図１９】本発明の実施例９になる携帯型サーマルプリンタ装置を示す図である。
【符号の説明】
【００６４】
３０、３０Ａ〜３０Ｈ  携帯型サーマルプリンタ装置
３１  印字部
３２、３２Ａ、３２Ｂ  感熱紙ロール収容機構部
３２−１  第１の感熱紙ロール収容部
３２−２  第２の感熱紙ロール収容部
４０  本体
５０、５０Ｂ  中間蓋
５０Ａ１  第１の中間蓋
５０Ａ２  第２の中間蓋
５１  軸
６０、６０Ａ  上蓋
６２  プラテンローラ
７０  サーマルプリンタ組立体
７１  サーマルヘッド
８１  第１のロール紙通路
８２  第２のロール紙通路
８３  第３のロール紙通路
８４  第４のロール紙通路
９０、１３０  ロール紙引き戻し機構
９０Ｅ、９０Ｈ，１４０  ロール紙引き戻し・送り出し機構
１００  ロック機構
１１０  感熱紙保持部
２００  第１の種類の感熱紙ロール
２０１  第１の種類の感熱紙
２１０  第２の種類の感熱紙ロール
２１１  第２の種類の感熱紙
２２０  第３の種類の感熱紙ロール
２２１  第３の種類の感熱紙
【図１】
2005262669.tif 000003
【図２】
2005262669.tif 000004
【図３】
2005262669.tif 000005
【図４】
2005262669.tif 000006
【図５】
2005262669.tif 000007
【図６】
2005262669.tif 000008
【図７】
2005262669.tif 000009
【図８】
2005262669.tif 000010
【図９】
2005262669.tif 000011
【図１０】
2005262669.tif 000012
【図１１】
2005262669.tif 000013
【図１２】
2005262669.tif 000014
【図１３】
2005262669.tif 000015
【図１４】
2005262669.tif 000016
【図１５】
2005262669.tif 000017
【図１６】
2005262669.tif 000018
【図１７】
2005262669.tif 000019
【図１８】
2005262669.tif 000020
【図１９】
2005262669.tif 000021